(57)【特許請求の範囲】
【請求項１】
シート本体に、第一の方向に亘る横折り部と前記第一の方向に直交する第二の方向に亘って前記横折り部に交差する縦折り部とを設けて、シート本体が前記縦折り部と横折り部とにより少なくとも四面に区分され、前記横折り部から第二の方向に横折りして折り畳んだ後に前記縦折り部から第一の方向に巻き折り可能に設けられ、前記巻き折りの終端に位置するシート面を封筒上紙としこの封筒上紙に縦折り部を介して連接されたシート面を封筒下紙とするシートであって、
上記シート本体の第二の方向に対向位置する上端縁と下端縁との内、前記上端縁に亘って易開封手段を介して封着片が連接されて、該封着片の巻き折り時の対向部位に接着剤未塗布状態である接着剤塗布予定域を備えるとともに、前記横折り部側に位置して巻き折り時に対向する対向部位の一方に接着剤未塗布状態である接着剤塗布予定域を備え、対向部位の他方に剥離剤を塗布してなる剥離部を備え、
前記封筒上紙側の側端縁に、巻き折り時に前記封筒下紙に折り重ねる封緘片が折り部を介して連接されて、該封緘片の封筒下紙への対向面に粘着剤未塗布状態である粘着剤塗布予定域を設け、前記封緘片に横折り部を介して連接された対向片に前記粘着剤塗布予定域に対応して剥離剤を塗布してなる剥離部を備える折り畳み封書用シートから折り畳み封書を作成するにおいて、
前記折り畳み封書用シートの前記封緘片の粘着剤塗布予定域に粘着剤を塗布し、前記横折り部から第二の方向に横折りして折り畳んで封緘片の粘着剤とこの封緘片に横折り部を介して連接されている対向片の剥離部とを対向させて前記封緘片と対向片とを剥離可能に貼り合わせ、
前記第二の方向への横折り後に、前記封着片の接着剤塗布予定域と横折り部側の接着剤塗布予定域とに接着剤を塗布して前記縦折り部から第一の方向に巻き折りして、前記封緘片側が開口した一辺開口型の封筒部を形成し、
封緘片側の開口より書面などの封入物を入れた後に、前記対向片を除去して封緘片の粘着剤を表出させ、該封緘片を封筒下紙側に折り重ね合わせて封緘することを特徴とする折り畳み封書の作成方法。
【発明の詳細な説明】
【０００１】
【発明の属する技術分野】
本発明は折畳みによりシートから折り畳み封書を得る作成方法に関するものである。
【０００２】
【発明が解決しようとする課題】
従来から金融機関やデパートなどにあっては顧客側に新商品や各種サービスの通知を行うに際して葉書形態とした案内状を送付したり、封筒を用いて通知するなどの方法を行っている。そして、通知内容が数多くなるような場合にはダイレクトメールなどのように通知情報をカタログやパンフレットなどとして作成し、これを封筒に入れて送付することが一般的である。
【０００３】
しかしながら、封筒に入れるカタログやパンフレットなどは冊子形態で作成されることが多く、そして、封筒の形状からも制限を受けるために、前記カタログやパンフレットの一頁当たりの面積や見開いたときの面積はそれ程広くなく、受取人側への通知情報の量を多く確保することができないという問題がある。
この点に関して発明者は一枚のシートを折り畳むことで封書形態にすることができ、さらに、その封書に書面などの封入物も納め入れることができる点に着目したものである。そこで、本発明は上記事情に鑑み、一枚のシートを折り畳み、そして封入物を納め入れ可能な封書を得て、開封してから折りを戻すことで広い情報掲載面積のシートが得られるようにすることを課題とし、大面積の通知情報面が確保できるようにすることを目的とする。
【０００４】
【課題を解決するための手段】
本発明は上記課題を考慮してさなされたもので、シート本体に、第一の方向に亘る横折り部と前記第一の方向に直交する第二の方向に亘って前記横折り部に交差する縦折り部とを設けて、シート本体が前記縦折り部と横折り部とにより少なくとも四面に区分され、前記横折り部から第二の方向に横折りして折り畳んだ後に前記縦折り部から第一の方向に巻き折り可能に設けられ、前記巻き折りの終端に位置するシート面を封筒上紙としこの封筒上紙に縦折り部を介して連接されたシート面を封筒下紙とするシートであって、上記シート本体の第二の方向に対向位置する上端縁と下端縁との内、前記上端縁に亘って易開封手段を介して封着片が連接されて、該封着片の巻き折り時の対向部位に接着剤未塗布状態である接着剤塗布予定域を備えるとともに、前記横折り部側に位置して巻き折り時に対向する対向部位の一方に接着剤未塗布状態である接着剤塗布予定域を備え、対向部位の他方に剥離剤を塗布してなる剥離部を備え、前記封筒上紙側の側端縁に、巻き折り時に前記封筒下紙に折り重ねる封緘片が折り部を介して連接されて、該封緘片の封筒下紙への対向面に粘着剤未塗布状態である粘着剤塗布予定域を設け、前記封緘片に横折り部を介して連接された対向片に前記粘着剤塗布予定域に対応して剥離剤を塗布してなる剥離部を備える折り畳み封書用シートから折り畳み封書を作成するにおいて、前記折り畳み封書用シートの前記封緘片の粘着剤塗布予定域に粘着剤を塗布し、前記横折り部から第二の方向に横折りして折り畳んで封緘片の粘着剤とこの封緘片に横折り部を介して連接されている対向片の剥離部とを対向させて前記封緘片と対向片とを剥離可能に貼り合わせ、前記第二の方向への横折り後に、前記封着片の接着剤塗布予定域と横折り部側の接着剤塗布予定域とに接着剤を塗布して前記縦折り部から第一の方向に巻き折りして、前記封緘片側が開口した一辺開口型の封筒部を形成し、封緘片側の開口より書面などの封入物を入れた後に、前記対向片を除去して封緘片の粘着剤を表出させ、該封緘片を封筒下紙側に折り重ね合わせて封緘することを特徴とする折り畳み封書の作成方法を提供して、上記課題を解消するものである。
【０００５】
【発明の実施の形態】
つぎに本発明を図１から図４に示す実施の形態に基づいて詳細に説明する。
図中１は折り畳み封書用シートであって、該折り畳み封書用シート１は、一枚のシート本体２の所要箇所に受取人住所氏名などの宛名情報や受取人への通知情報が印刷、印字されている。前記シート本体２は所要箇所から折り畳むことで封書形態とすることができるように折り部が設けられていて、図１に示すように、シート本体２の幅方向（得られる封書の短辺方向）となる第一の方向Ｘに亘って横折り部３がシート本体２の中央部分に設けられ、また、シート本体２の縦方向（得られる封書の長辺方向）となる第二の方向Ｙに亘って縦折り部４が設けられている。前記第一、第二の方向Ｘ，Ｙは直交する二方であって一本の横折り部３に対して三本の縦折り部４が交差している。
このようにシート本体２に三つの縦折り部４と一つの横折り部３とがあって８面に仕切られており、前記横折り部３から第二の方向Ｙに横折りして折り畳み、前記縦折り部４から第一の方向Ｘに巻き折りすることができる。そして、８面に仕切られたシート面の内、前述のように二つ折り後に巻き折りして折り畳み封書とするために、図における例にあっては横折り部３より上段であって巻き折り終端となる側のシート面を封筒上紙５とし、この封筒上紙５に対して第一の方向Ｘに縦折り部４を介して連接するシート面が封筒下紙６としている。
【０００６】
上述のように折り畳んで折り畳み封書を得るための上記折り畳み葉書用シート１にあっては、シート本体２の所要箇所が貼り合わせ手段を設ける箇所として設定されている。まず、シート本体２の第二の方向Ｙに対向する端縁の内、即ち、上端縁と下端縁との内、上端縁に亘って封着片７が設けられている。この封着片７は上記横折り部３からシート本体２を二つに横折りしたときに重ならないように表出するものであり、上記巻き折り（縦折り）する時の最初のシート面側を除く各封着片７の各片面に接着剤塗布予定域８が設けられている。さらに、前記封着片７を後述するように巻き折りして接着剤により封着された状態で取り除くことができるように上端縁に沿って切取り用ミシン目を穿設してなる易開封手段９が備えられている。
【０００７】
また、シート本体２にあっては、巻き折りして貼り合わせるための貼り合わせ手段を設ける箇所も設定されていて、上記横折り部３側において、第二の方向Ｙに折り畳んだときに外方に臨む部分であって、巻き折り時（図２参照）に対向する対向部位それぞれが剥離可能に接着する構造が得られるようにしている。例えば、図示するように、巻き折りの始めに対向する対向部位ａと対向部位ｂとにおいて、対向部位ａには接着剤を塗布するための接着剤塗布予定域１０が設けられ、一方、対向部位ｂには予め剥離剤を塗布し、前記接着剤塗布予定域１０に後述の接着剤を塗布した状態で貼り合わせても接離可能となる構造が得られるようにした剥離部１１が設けられている。
つぎの折り（巻き折り）で対向する対向部位ｃと対向部位ｄとでは、その対向部位ｃに接着剤塗布予定域１０が設けられ、対向部位ｄには剥離部１１が設けられている。さらに、最後の巻き折りで対向する対向部位ｅと対向部位ｆとでは、対向部位ｅに接着剤塗布予定域１０が設けられ、対向部位ｆに剥離部１１が設けられている。
このように対向部位の一方に接着剤塗布予定域１０が設けられ、対向部位の他方に予め剥離剤を塗布してなる剥離部１１が設けられているため、後述するように前記接着剤塗布予定域１０に接着剤を塗布し巻き折りすることで対向部位が貼り合わされ、また、後述する封書を開く時点では対向していた対向部位が容易に離れるようにしている。
【０００８】
上記封筒上紙５側の側端縁には封緘片１２が連接されている。この封緘片１２には巻き折りして封筒下紙６に貼着させるための粘着剤を塗布する粘着剤塗布予定域１３が設けられているとともに、封緘片１２の長さ方向に亘って二条のミシン目１４ａを穿設してなる開封手段１４が設けられ、さらに、前記開封手段１４を構成している二条のミシン目１４ａの間を通るようにして折り部１５が設けられており、この折り部１５から前記封緘片１２を折り畳んで封筒下紙６に折り重ね合わせることができるようにしている。そして、前記開封手段１４の間の折り部１５から折り畳むことでミシン目１４ａが縦折り部４の外方側で位置揃えされるようにしており、開封に際してこの開封手段１４のミシン目１４ａから切断することで封緘片１２のみが切断されるようにしている（図５参照）。
図示するように、上記封緘片１２には上記横折り部３を介して対向片１２ａが折り合わせ可能に連接されていて、その折り合わせ（横折り）をしたときに前記封緘片１２の粘着剤塗布予定域１３に対応する位置に予め剥離剤を塗布してなる剥離部１２ｂが設けられていて、粘着剤を塗布した状態の封緘片１２と対向片１２ａとが剥離可能に貼り合わせることができる構造となるようにしている。
（図１参照）。
【０００９】
さらに、この折り畳み封書用シート１における一つのシート面にあっては、上記巻き折りしたときに内方となる片面側に葉書用紙１６が保持手段１７を介して剥離可能にして取り付けられており（図３参照）、受取人が見開いたこの折り畳み封書用シートに記載されている情報を見て、その葉書用紙を返信用などとして受取人側が利用できるようにしている。勿論、前記葉書用紙の大きさはシート面の大きさより小さいものであり、巻き折り始端から巻き折り終端にかけてシート面の幅が第一の方向に徐々に大きくなっているため、巻き折り始端側における一つのシート面の幅寸法、高さ寸法より小さくするか或は同じにすればよい。
そして、上記葉書用紙はシート面に剥離可能に取り付けたものとして説明したが、これに限定されるものではない。例えば、葉書用紙が単体で葉書としての剛性、厚さを満足するものであっても、シート面に接着固定し必要に際して受取人側で葉書用紙を伴った状態にしてシート面を切断する構成としてもよく、また、葉書用紙単体では葉書としての剛性や厚さなどの条件を満足しないがシート面に貼り合わせてそのシート面を切り取ることで葉書としての条件を満足するものとなるようにしてもよい。
このように折り畳み封書用シートに一体的に葉書用紙を備えているため、従来の封筒入れ作業のようなカタログと葉書との組み合わせ確認を行う必要がなく、確実に葉書用紙を受取人側へ送ることができるようになる。
【００１０】
以上の構造であって所要の情報が印字処理された折り畳み封書用シート１から封書を作成するには、先ず、上記粘着剤塗布予定域１３に粘着剤を塗布し、図２（イ）に示すように、横折り部３からシート本体２を第二の方向Ｙに横折りする。このときに粘着剤塗布予定域１３に塗布された粘着剤と上記対向片１２ａの剥離部１２ｂとが対向して封緘片１２と対向片１２ａとが剥離可能に貼り合わされる。この状態では前記封緘片１２の粘着剤は完全に対向片１２ａで覆われている。
つぎに、表出している封着片７の接着剤塗布予定域８と横折り部３側の接着剤塗布予定域１０とに接着剤を塗布し、図２（イ）において図の右のシート面側（封筒上紙５と反対側に位置するシート面側）を巻き折り始端として縦折り部４から第一の方向Ｘに向けて巻き折りを行う（図２（ロ）参照）。このように接着剤塗布予定域８，１０に接着剤を塗布して巻き折りすることで封着片７同士は貼り合わされ、また、横折り部側では対向部位ａとｂ、ｃとｄ、ｅとｆが剥離可能にした状態で貼り合わされる。
折り畳み封書用シート１を上述のようにして巻き折りを行った後には、図２（ハ）に示すように、前記巻き折りと対向箇所の貼り合わせで一辺開口の封筒部１８が得られ、この封筒部１８に書面などの各種情報を印刷した封入物１９を挿入する。このときには上記封緘片１２に設けた粘着剤は覆われており、封入物１９が粘着剤に接触することのないように設けられている。
上記封入物１９を挿入した後、上記対向片１２ａを剥ぎ取って封緘片１２に設けられた粘着剤を表出させてから封緘片１２を封筒下紙６に重ね合わせして接着する。このようにすることによって、所要箇所が貼り合わされ、封入物を備え、封緘された折り畳み封書２０が得られる（図２（ニ）参照）。
図示した折り畳み封書用シートからなる折り畳み封書２０を開封するには上記封緘片１２を開封手段１４から開くとともに封着片７を分離し、そして、接着剤が塗布された接着剤塗布予定域１０と剥離部１１とを引き離しながら巻き折り状態を戻してシート本体２を開くようにすれば、封入物１９を取り出すことができるとともに、シート本体２の全面を見ることができ、さらに、上記葉書用紙１６も表出して取り外しも可能になる。なお、上記した例では一つのシート面に葉書用紙を配置したが、複数のシート面に葉書用紙を配置するようにしてもよい。
【００１１】
【発明の効果】
以上説明した本発明により、一枚のシート本体を巻き折りにして折り畳み封書を得て、しかも、封書を開封して折り畳みを戻すようにすることで広いシート本体が再び得られるようになるとともに、封筒部へ封入物を入れることでシート本体とは別の書面なども送付できるようになる。そして、シート本体に広告などを広く形成することができるとともに、より多くの関連する通知情報も一面側に纏めて構成することもできることとなり、受取人側への通知効果が極めて良好になる。さらに、一枚の折り畳み封書用シートよりなる折り畳み封書で通知情報を送ることができることから、従来行っていたカタログなどの組み合わせの確認が不要になり、送付作業が簡単になる。さらに、折り畳み封書用シートの折りにより得られる封筒部に封入物を入れるときには封緘片が覆われているため、封緘片との無用な接着を防止でき、スムーズに挿入が行えるようになり、そして、封緘片に塗布する粘着剤に対して対向する側の対向片で剥離可能に覆うようにしているため、剥離紙が不要になって経済的であるなど、実用性に優れた効果を奏するものである。
【図面の簡単な説明】
【図１】  本発明に係る折り畳み封書の作成方法における折り畳み封書用シートの一例を示すもので、（イ）は一方の面を示す説明図、（ロ）は他方の面を示す説明図である。
【図２】  折り畳み封書用シートの一例における折り畳み工程を示す説明図である。
【図３】  折り畳み封書用シートの一例を葉書用紙取付け部分の断面で示す説明図である。
【図４】  開封を示す説明図である。
【図５】  封書の封緘部分を断面で示す説明図である。
【符号の説明】
１…折り畳み封書用シート  ２…シート本体  ３…横折り部
４…縦折り部  ５…封筒上紙  ６…封筒下紙  ７…封着片
８…接着剤塗布予定域  １０…接着剤塗布予定域  １１…剥離部
１２…封緘片  １２ａ…対向片  １２ｂ…剥離部
１３…粘着剤塗布予定域  １４…開封手段  ２０…封書
【図１】
0003865339.tif 000002
【図２】
0003865339.tif 000003
【図３】
0003865339.tif 000004
【図４】
0003865339.tif 000005
【図５】
0003865339.tif 000006